(57)【要約】【課題】自転車のフレームの管材の中空部に発泡材を充填し、管材の構造強度を高めて変形することを防ぐとともに、高振動吸収で軽量な自転車のパイプ構造を提供する。【解決手段】３６０度の円周部を有するパイプを含む自転車のパイプ構造であって、円周部は、パイプの中心軸に沿って軸方向で延びて形成された周壁１１を有する。周壁１１により中空状の内部空間１２が画定されてパイプ状構造体が形成され、内部空間１２中には発泡材が充填されて内部発泡層２が形成される。パイプ１は、自転車ハンドル、トップチューブ、ダウンチューブ、シートピラー、シートステー、チェーンステー及びヘッドチューブからなる群から選ばれる一種以上を含む。パイプ１は、アルミニウム合金、チタン合金、マグネシウム合金又はカーボンファイバからなる。【選択図】図１
2017024650.tif 000002
【特許請求の範囲】
【請求項１】
３６０度の円周部を有するパイプを含む自転車のパイプ構造であって、
前記円周部は、前記パイプの中心軸に沿って軸方向に延びて形成された周壁を有し、前記周壁により中空状の内部空間が画定されてパイプ状構造体が形成され、前記内部空間中には発泡材が充填されて内部発泡層が形成され、
前記パイプは、自転車ハンドル、トップチューブ、ダウンチューブ、シートピラー、シートステー、チェーンステー及びヘッドチューブからなる群から選ばれる一種以上を含むことを特徴とする、
自転車のパイプ構造。
【請求項２】
前記パイプは、アルミニウム合金、チタン合金、マグネシウム合金又はカーボンファイバの何れかからなることを特徴とする請求項１に記載の自転車のパイプ構造。
【請求項３】
前記発泡材は、ポリスチレン、ポリプロピレン、ポリ塩化ビニル、フェノプラスチック、ポリウレタン及びにこれらの組み合わせからなるもののうちの何れか１つであることを特徴とする請求項１に記載の自転車のパイプ構造。
【発明の詳細な説明】
【技術分野】
【０００１】
本発明は、自転車のパイプ構造に関し、特に、高振動吸収、耐変形、高強度及び軽量で自転車のパイプに用いる自転車のパイプ構造に関する。
【背景技術】
【０００２】
自転車は、足代わりの乗り物として使用することができる上、レクリエーション、運動などの機能も兼ね備える。研究開発力の向上及び科学技術の発展に伴い、自転車の開発は外観、乗り心地、車体強度、重量、速度などを重点的に行われており、特に、プロの競技用自転車の場合、乗り心地、車体強度、重量及び速度の向上が常に求められていた。
【０００３】
近年、多くの自転車は、軽量化のために従来の金属製パイプに替えてカーボンファイバ補強樹脂からなるパイプにより製作されている。
【０００４】
しかし単純にカーボンファイバ補強樹脂からなるパイプでは、ユーザーのニーズを完全に満たすことはできなかった。この問題点に鑑み、自転車メーカーは既に特許文献１及び特許文献２の自転車のパイプ構造を開発している。
【先行技術文献】
【特許文献】
【０００５】
【特許文献１】台湾特許登録番号第Ｉ４８３８６５Ｂ号
【特許文献２】台湾実用新案登録番号第Ｍ２６８１９９Ｕ号
【発明の概要】
【発明が解決しようとする課題】
【０００６】
本発明の目的は、自転車のフレームの管材の中空部に発泡材を充填し、管材の構造強度を高めて変形することを防ぐとともに、高振動吸収で軽量な自転車のパイプ構造を提供することにある。
【課題を解決するための手段】
【０００７】
上記課題を解決するために、本発明の第１の形態によれば、３６０度の円周部を有するパイプを含む自転車のパイプ構造であって、前記円周部は、前記パイプの中心軸に沿って軸方向に延びて形成された周壁を有し、前記周壁により中空状の内部空間が画定されてパイプ状構造体が形成され、前記内部空間中には発泡材が充填されて内部発泡層が形成され、前記パイプは、自転車ハンドル、トップチューブ、ダウンチューブ、シートピラー、シートステー、チェーンステー及びヘッドチューブからなる群から選ばれる一種以上を含むことを特徴とする自転車のパイプ構造が提供される。
【０００８】
前記パイプは、アルミニウム合金、チタン合金、マグネシウム合金又はカーボンファイバからなることが好ましい。
【０００９】
前記発泡材は、ポリスチレン、ポリプロピレン、ポリ塩化ビニル、フェノプラスチック、ポリウレタン及びにこれらの組み合わせからなるもののうちの何れか１つであることが好ましい。
【発明の効果】
【００１０】
本発明の自転車のパイプ構造は、自転車のフレームの管材の中空部に発泡材が充填され、管材の構造強度を高めて変形することを防ぐとともに、高振動吸収で軽量である。
【図面の簡単な説明】
【００１１】
【図１】本発明の一実施形態に係る自転車のパイプ構造を示す断面図である。
【図２】本発明の一実施形態に係る自転車のパイプ構造を自転車のハンドルに応用したときの斜視図である。
【図３】本発明の一実施形態に係る自転車のパイプ構造を自転車の車体フレームに応用したときの斜視図である。
【図４】本発明の一実施形態に係る中に何も充填されていないアルミパイプと、中に発泡材が充填されたアルミパイプとに三点曲げ強度試験を行った結果を示す曲線図である。
【発明を実施するための形態】
【００１２】
以下、本発明の実施形態について図に基づいて説明する。なお、これによって本発明が限定されるものではない。
【００１３】
本発明の一実施形態に係る自転車のパイプ構造は、３６０度の円周部を有するパイプ１を含む。この円周部は、パイプ１の中心軸に沿って軸方向に延びて形成された周壁１１を有し、周壁１１により中空状の内部空間１２が画定されてパイプ状構造体が形成される。上述した内部空間１２中には発泡材が充填されて内部発泡層２が形成される。
【００１４】
パイプ１は、自転車ハンドルＡのパイプでもよいし、自転車の車体フレームＢでもよい。車体フレームＢは、トップチューブＢ１、ダウンチューブＢ２、シートピラーＢ３、シートステーＢ４、チェーンステーＢ５及びヘッドチューブＢ６のうちの少なくとも何れか１つを含む。
シートピラーＢ３の頂端には、シートのシートパイプ（図示せず）が組み合わされる。シートピラーＢ３の上端とヘッドチューブＢ６との間には、トップチューブＢ１が接続され、ヘッドチューブＢ６とシートピラーＢ３の下端との間には、ダウンチューブＢ２が接続される。シートステーＢ４は、一端がチェーンステーＢ５の一端と接続され、他端がシートピラーＢ３の上端と接続される。チェーンステーＢ５の他端は、シートピラーＢ３の下端と接続される。内部空間１２内に発泡材を充填して内部発泡層２を形成するタイミングは、パイプ１により自転車ハンドルＡの構造体を製作する時か、パイプ１により自転車の車体フレームＢのトップチューブＢ１、ダウンチューブＢ２、シートピラーＢ３、シートステーＢ４、チェーンステーＢ５又はヘッドチューブＢ６の構造体を製作した後である。
【００１５】
本発明の一実施形態に係る自転車のパイプ構造のパイプ１は、アルミニウム合金、チタン合金、マグネシウム合金又はカーボンファイバからなる。
【００１６】
本発明の一実施形態に係る自転車のパイプ構造の発泡材は、ポリスチレン（ｐｏｌｙｓｔｙｒｅｎｅ）、ポリプロピレン（ｐｏｌｙｐｒｏｐｙｌｅｎｅ）、ポリ塩化ビニル（ｐｏｌｙｖｉｎｙｌ  ｃｈｌｏｒｉｄｅ）、フェノプラスチック（ｐｈｅｎｏｐｌａｓｔｉｃｓ）及びポリウレタン（ｐｏｌｙｕｒｅｔｈａｎｅ）からなる群より選ばれた１つである。
【００１７】
図４を参照する。図４に示すように、中に何も充填されていないアルミニウムパイプと、発泡材が中に充填されたアルミニウムパイプとに三点曲げ強度試験を行って得られた曲線を比較すると分かるように、１ｍｍの箇所では中に何も充填されていないアルミニウムパイプに比べて中に発泡材が充填されたアルミニウムパイプの強度及び剛性は１２．４％高く、１０ｍｍの箇所では中に何も充填されていないアルミニウムパイプと比べて中に発泡材が充填されたアルミニウムパイプの強度及び剛性は１６％高かった。
【００１８】
また、中に何も充填されていないアルミニウムパイプと、発泡材が中に充填されたアルミニウムパイプとを叩くか、中に何も充填されていないアルミニウムパイプと、発泡材が中に充填されたアルミニウムパイプとを地面又は床に落下させると分かるように、中に何も充填されていないアルミニウムパイプに比べ、発泡材が中に充填されたアルミニウムパイプの方が叩音又は落下音は遥かに小さく、発泡材が中に充填されたアルミニウムパイプは振動吸収性が非常に高い。
【００１９】
当該分野の技術を熟知するものが理解できるように、本発明の好適な実施形態を前述の通り開示したが、これらは決して本発明を限定するものではない。本発明の主旨と領域を逸脱しない範囲内で各種の変更や修正を加えることができる。従って、本発明の特許請求の範囲は、このような変更や修正を含めて広く解釈されるべきである。
【符号の説明】
【００２０】
１    パイプ
２    内部発泡層
１１  周壁
１２  内部空間
Ａ    自転車ハンドル
Ｂ    車体フレーム
Ｂ１  トップチューブ
Ｂ２  ダウンチューブ
Ｂ３  シートピラー
Ｂ４  シートステー
Ｂ５  チェーンステー
Ｂ６  ヘッドチューブ
【図１】
2017024650.tif 000003
【図２】
2017024650.tif 000004
【図３】
2017024650.tif 000005
【図４】
2017024650.tif 000006